(57)【要約】    本発明は、正しい歩行姿勢を保持し、手首に負担をかけることなく、従来と同様の運動効果を得ることのできるウォーキングポールを提供する。本発明のウォーキングポールは、シャフトと、シャフトの上端部に装着されたグリップと、グリップの側方に設けられたストラップと、を備え、ストラップを、グリップの下部と上部との間に架け渡されるように取り付けて構成する。
2007114167.tif 000002
【特許請求の範囲】
【請求項１】
シャフトと、前記シャフトの上端部に装着されたグリップと、前記グリップの側方に設けられたストラップと、を備え、前記ストラップは、前記グリップの下部と上部との間に架け渡されるように取り付けられていることを特徴とするウォーキングポール。
【請求項２】
前記グリップの上部に側方へ突出した支持部材を備え、この支持部材には、前記ストラップが取り付けられていることを特徴とする請求の範囲第１項に記載のウォーキングポール。
【請求項３】
前記グリップの下部に側方へ突出した支持部材を備え、この支持部材には、前記ストラップが取り付けられていることを特徴とする請求の範囲第２項に記載のウォーキングポール。
【請求項４】
前記シャフトの下端部に球面部を有する滑り止め部材を備えたことを特徴とする請求の範囲第１項又は第３項に記載のウォーキングポール。
【請求項５】
前記滑り止め部材の球面に溝部を設けたことを特徴とする請求の範囲第４項に記載のウォーキングポール。
【請求項６】
前記球面部の直径が、前記シャフトの直径よりも大きいことを特徴とする請求の範囲第４項に記載のウォーキングポール。
【発明の詳細な説明】
【技術分野】
【０００１】
本発明は、ポールを用いて行うウォーキングに使用するウォーキングポールに関する。
【背景技術】
【０００２】
近年、ウォーキングスポーツでは、両手に持ったウォーキングポールを使って歩行するウォーキングが普及している。このウォーキングに使用されるウォーキングポールは、スキー用のポールと同様に、ポール本体であるシャフトと、このシャフトの上端部に装着されるグリップと、を有して構成され、このグリップを手で握ってシャフトの先端で地面を突きながら歩行することにより、バランスのよい運動効果を得ることができるものである。【０００３】
このウォーキングポールにおいてグリップには、このグリップの握りをサポートするためのストラップが取り付けられている。一般にこのストラップは、例えば下記の特許文献１に開示されるもののように、グリップの上端部に取り付けられる環状の帯状体によりなり、これに手首を通した状態でグリップを握って使用するようにしている。
【特許文献１】特開２００４−２１５９１８号公報
【発明の開示】
【０００４】
このような従来のポールは、グリップを握った状態でシャフトを後方に押し出すようにして使用する形状・構造になっている。従って、通常の歩行にこのポールを使用すると不自然であり、安定した歩行ができず手首に大きな負担がかかり、長時間の使用では手首を痛めてしまうおそれがある。
【０００５】
本発明はこのような点に鑑みてなされたもので、正しい歩行姿勢を保持し、手首に負担をかけることなく、通常行うウォーキングよりも大きい運動効果を得ることのできるウォーキングポールを提供することを目的とする。
【０００６】
本発明は、上記の目的を達成するためになされたものであり、この目的は、下記（１）〜（６）の発明によって達成される。
【０００７】
（１）上記の目的を達成するため本発明のウォーキングポールは、シャフトと、前記シャフトの上端部に装着されたグリップと、前記グリップの側方に設けられたストラップと、を備え、前記ストラップは、前記グリップの下部と上部との間に架け渡されるように取り付けられている構成である。
【０００８】
上記の構成により、使用者は、グリップの下部と上部との間に架け渡されるように取り付けられたストラップとグリップとの間に手を通した状態でグリップを握り、ウォーキングポールを使用することができる。
【０００９】
（２）前記グリップの上部に側方へ突出した支持部材を備え、
前記支持部材には、前記ストラップが取り付けられている
を特徴とする上記（１）に記載のウォーキングポール。
【００１０】
（３）前記グリップの下部に側方へ突出した支持部材を備え、この支持部材には、前記ストラップが取り付けられていることを特徴とする上記（２）に記載のウォーキングポール。
【００１１】
（４）前記シャフトの下端部に、球面部を有する滑り止め部材を備えたことを特徴とする上記（１）又は（３）に記載のウォーキングポール。
【００１２】
（５）前記滑り止め部材の球面に溝部を設けたことを特徴とする上記（４）に記載のウォーキングポール。
【００１３】
（６）前記球面部の直径が、前記シャフトの直径よりも大きいことを特徴とする上記（４）に記載のウォーキングポール。
【００１４】
本発明のウォーキングポールを使用することにより、使用者は、下肢だけではなく、上肢も動かすことになり、通常のウォーキングよりも運動量を増やすことができる。
【００１５】
本発明のウォーキングポールによれば、手首に負担をかけることなく、安定したポール操作が可能となる。
【図面の簡単な説明】
【００１６】
【図１】本発明の一実施形態によるウォーキングポールの全体構成を示す側面図である。
【図２】本発明の一実施形態によるウォーキングポールのグリップ付近の構成を示す斜視図である。
【図３】本発明の一実施形態によるウォーキングポールのグリップ付近の構成を示す正面図である。
【図４】本発明の一実施形態によるウォーキングポールのグリップ付近の構成を示す側面図である。
【図５】本発明の一実施形態によるウォーキングポールの全体構成を示す側面図である。
【図６】本発明の一実施形態に係るウォーキングポールのグリップ付近の構成を示す斜視図である。
【図７】本発明の一実施形態に係るウォーキングポールのグリップ付近の構成を示す正面図である。
【図８】本発明の一実施形態に係るウォーキングポールのグリップ付近の構成を示す側面図である。
【発明を実施するための最良の形態】
【００１７】
以下、図面を参照しながら本発明の一実施形態について詳細に説明する。
図１は本発明の一実施形態に係るウォーキングポールの側面図、図２はこのウォーキングポールのグリップ付近を拡大して示す斜視図、図３はウォーキングポールのグリップ付近の正面図、図４はウォーキングポールのグリップ付近の側面図である。なお、通常ウォーキングポールは、右手用と左手用の２本を１組として使用されるものであるが、ここでは右手用のウォーキングポールのみを図示して説明する(左手用のウォーキングポールは、これと対称的に形成される)。【００１８】
図１に示すように、本実施形態のウォーキングポール１は、ポール本体であるシャフト２と、このシャフト２の上端部に装着されるグリップ３と、を有して構成されている。シャフト２はアルミニウム等の軽金属やＣＦＲＰ製のパイプで構成され、その先端(下端)にはゴム材によりなる滑り止め部材４が取り付けられている。また、滑り止め部材４の地面と接触する部分には、半球面を有する球面部４ａが形成されている。【００１９】
グリップ３は樹脂製であって、使用者はこのグリップ３を手で握り、シャフト２の先端の滑り止め部材４で地面を突きながら歩行するものである。また、シャフト２の長さは、使用者の身体的特徴に合わせて変更できるように構成されており、さらには、シャフトを伸縮式あるいは折りたたみ式にすることにより、持ち運びの際の利便性を向上させることができる。【００２０】
このウォーキングポール１においてグリップ３には、このグリップの握りをサポートするためのストラップ５が取り付けられている。【００２１】
図２に示すように、このストラップ５は、グリップ３の側方において、グリップ３の下部と上部との間に架け渡されるように取り付けられた帯状体で構成されている。ストラップ５は、グリップ３と所定の距離を隔てるように、余裕を持たせて取り付けられている。これにより、使用者は、このストラップ５とグリップ３の間に手(ここでは右手)を通した状態でグリップ３を握ることができる。【００２２】
帯状体で構成されたストラップ５は、その基端５ａをグリップ３の下部に固定してある。また、グリップ３の上部には、側方に突出するように支持部材である支持片６が形成されている。ストラップ５は、その遊端側５ｂをこの支持片６の先端に設けられた通し穴６ａに通すようにして取り付けられる。【００２３】
この場合、図３に示すようにストラップ５の内側には、面ファスナ７が取り付けられている。そして、支持片６を通して折り返したストラップ５を任意の長さに調整した上で、この面ファスナ７同士を接合することにより、支持片６に対しストラップ５を固定するようにしている。【００２４】
上記した構成のストラップ５をグリップ３に取り付けたことにより、本実施形態のウォーキングポール１では、グリップ３を握った状態で、手の甲側がストラップ５によってサポートされる。これにより、グリップ３の握りを緩めても手からグリップ３が脱落することはなく、確実にグリップ３を保持することができる。そして、このウォーキングポール１では、使用者がグリップ３を握った状態において、ストラップ５で手の甲側が押さえられることにより、グリップ３と手の一体感が得られるので、手首に負担をかけることなく安定したポール操作が可能となる。【００２５】
また、このウォーキングポール１の使用時には、シャフト２で地面を突くときに手にかかる力をストラップ５の下部５ｃで受けることができる。即ち、従来のウォーキングポールでは、グリップ及びストラップの形状が後方へ押し出すような形状になっているため、地面を突くときの動作が不自然となって安定した歩行ができず、手首に大きな負担がかかっていた。しかし、本発明によるウォーキングポールでは、地面を突くときの力をストラップ５で受けることによって力が分散されるため、手首にかかる負担が軽減されることになるので、手首を痛めることなく安定した歩行が可能となり、正しい歩行姿勢で従来と同様の運動効果を得ることができる。【００２６】
さらに、このウォーキングポール１の使用時には、図４に示すように、グリップ３の上部に設けた支持片６を支点として、グリップ３を手の中で振り子状に前後に揺動させるように使用できるので、ポールを手首で振ることを防ぐことができる。これにより、手首に負担をかけることなく、スムーズなウォーキングポールの操作が可能となる。【００２７】
また、本実施形態のウォーキングポール１を使用することにより、使用者は、下肢だけではなく、上肢も動かすことになり、通常のウォーキングよりも運動量を増やすことができ、高いウォーキング効果を得ることができる。【００２８】
また、このウォーキングポール１において、シャフト２の先端に取り付けられる滑り止め部材４は、ゴム材により構成されている。また、その先端面(接地面)側を球面状に形成することにより、あらゆる方向・角度で地面を突いても滑り止め部材４は安定した状態で接地するので、安心してウォーキングポールを使用することができる。また、球面部４ａの先端面（球面）に亀の甲羅状の溝部を形成することにより、地面との摩擦係数を高め、例えば、雨上がり後の滑りやすい地面であっても快適に使用することができる。さらには、滑り止め部材４の球面部４ａの直径をシャフト２の直径よりも大きく構成することにより、ウォーキングポール１の先端が、地面の隙間等に挟まりにくくすることができる。なお、本実施形態の滑り止め部材４を用いるにあたり、ストラップの構成を上述したものに限定する必要はない。【００２９】
本実施形態のウォーキングポール１では、図２に示すように、ストラップ５が取り付けられる支持片６に、右手用か左手用かの別を表わす表示８を付してある(なお、本実施形態のウォーキングポールは右手用なので、それを表わす「Ｒ」の文字が付されている)。これにより、使用者は一目で右手用か左手用かの別を判断することが可能となるので、左右の間違いを防止することができる。また、右手用の支持片６の色を赤色、左手用の支持片６の色を灰色として、左右で支持片の色を異ならせることによって、左右の取り違えを確実に防止することができる。【００３０】
図５は、本発明の他の実施形態に係るウォーキングポールの側面図であり、図６は、本実施形態に係るウォーキングポールのグリップ付近を拡大して示す斜視図、図７は、ウォーキングポールのグリップ付近の正面図、図８は、ウォーキングポールのグリップ付近の側面図である。なお、ここでも右手用のウォーキングポールのみを図示して説明する。また、図５において、図１と対応する部分には同一の符号を付してその説明を省略する。【００３１】
図５に示すように、本実施形態のウォーキングポール１１が、上述したウォーキングポール１と相違する点は、グリップ１３及びストラップ１５の構成が異なる点である。この相違点を、図６を用いて説明する。【００３２】
図６に示すように、本実施形態によるウォーキングポール１１のグリップ１３の上部および下部には、側方へ突出する支持片１６，１６′が形成されている。また、支持片１６，１６′には、それぞれ通し孔１６ａ、１６ａ′が形成されている。【００３３】
帯状体で構成されたストラップ１５は、その基端１５ａがグリップ１３の下部に形成された支持片１６′の通し孔１６ａ′に固定されている。また、ストラップ１５には、グリップ１３側に向けて開口するコの字状に形成された甲当て部材１８が装着されている。甲当て部材１８は、弾性を有する素材によって構成されており、甲当て部材１８の幅は、ストラップ１５の幅よりも大きくなるように形成されている。また、甲当て部材１８には保持片１８ａが設けられており、この保持片１８ａにストラップ１５を貫通させることで、甲当て部材１８はストラップ１５に装着される。甲当て部材１８により、グリップ１３を握った状態の使用者の手の甲を押さえるので、グリップ１３と手の一体感を向上させ、使用者は、手首に負担をかけることなく安定したポール操作が可能となる。つぎに、ストラップ１５は、その遊端側１５ｂをグリップ１３の上部に形成された支持片１６の通し穴１６ａに通すようにして取り付けられる。【００３４】
図７に示すように、甲当て部材１８の背面及び保持片１８ａと、ストラップ１５の内側には、面ファスナ１７が取り付けられている。そして、支持片１６を通して折り返したストラップ１５を任意の長さに調整した上で、この面ファスナ１７同士を接合することにより、支持片１６、１６′に対しストラップ１５を固定するようにしている。【００３５】
本実施形態のウォーキングポール１１では、グリップ１３を握った状態で、手の甲側がストラップ１５によってサポートされるので、グリップ１３の握りを緩めても手からグリップ１３が脱落することはなく、確実にグリップ１３を保持することができる。そして、このウォーキングポール１１では、グリップ１３を握った状態において、ストラップ１５で手の甲側が支えられることにより、使用者は、手首に負担をかけることなく安定したポール操作が可能となる。【００３６】
また、このウォーキングポール１１の使用時には、シャフト１２で地面を突くときに手にかかる力をグリップ１３の下部に形成された支持片１６′で受けることによって力が分散される。このため、手首にかかる負担が軽減され、使用者は、手首を痛めることなく安定した歩行が可能となり、正しい歩行姿勢で従来と同様の運動効果を得ることができる。【００３７】
さらに、このウォーキングポール１１の使用時には、図８に示すように、支持片１６′を中心としてグリップ１３を手の中で振り子状に前後に揺動させるように使用できる。すなわち、グリップ１３の上下に支持片１６、１６′を形成したので、いずれかの支持片を中心にして振り子状の揺動運動をさせることができ、ポールを手首で振ることを防ぐことができる。これにより、使用者は、手首に負担をかけることなく、スムーズなウォーキングポールの操作が可能となる。【００３８】
また、本実施形態のウォーキングポール１１を使用することにより、使用者は、下肢だけではなく、上肢も動かすことになり、通常のウォーキングよりも運動量を増やすことができ、高いウォーキング効果を得ることができる。【００３９】
なお、本実施形態のウォーキングポール１１でも、図６に示すように、ストラップ１５が取り付けられる支持片１６に、右手用か左手用かの別を表わす表示８を付してある。また、右手用の支持片１６の色が赤色、左手用の支持片１６の色が灰色となるように構成されている。【００４０】
なお、本発明のウォーキングポールは、上述の各形態に限定されるものではなく、その他材料、構成等において本発明の構成を逸脱しない範囲において種々の変形、変更が可能であることはいうまでもない。特に、支持部材の形状や、支持部材に付される色は、上記の構成に限定されるものではない。
【引用符号の説明】
【００４１】
１、１１…ウォーキングポール、２、１２…シャフト、３、１３…グリップ、４・・・滑り止め部材、５、１５…ストラップ、６、１６、１６′…支持片、６ａ、１６ａ、１６′ａ・・・通し穴、７、１７・・・面ファスナ、１８・・・甲当て部材
【図１】
2007114167.tif 000003
【図２】
2007114167.tif 000004
【図３】
2007114167.tif 000005
【図４】
2007114167.tif 000006
【図５】
2007114167.tif 000007
【図６】
2007114167.tif 000008
【図７】
2007114167.tif 000009
【図８】
2007114167.tif 000010
【国際調査報告】
2007114167.tif 000011
2007114167.tif 000012
2007114167.tif 000013
2007114167.tif 000014